(57)【特許請求の範囲】
【請求項１】
測定条件により、被測定波形を測定部により測定し、波形データとして波形メモリに格納すると共に、波形データを記録媒体に保存及び表示部に表示を行う波形測定装置において、
第１の測定条件で測定され前記記録媒体に保存された波形データを、前記測定部における第２の測定条件の測定点に変換する波形変換部を設け、この波形変換部が変換した波形データを前記第２の測定条件で測定され前記波形メモリに格納されている波形データと共に前記表示部に表示し、前記第１の測定条件と前記第２の測定条件とは異なり、
前記波形変換部は、前記記録媒体の波形データを前記第２の測定条件と同じサンプリング間隔にすることを特徴とする波形測定装置。
【請求項２】
波形メモリの前記第２の測定条件で測定された波形データと波形変換部が第２の測定条件の測定点に変換した波形データとにより演算を行い、演算結果を表示部に表示する表示処理部を設けたことを特徴とする請求項１記載の波形測定装置。
【請求項３】
波形変換部は、記録媒体の波形データの補間または間引きを行い、所望の測定点にすることを特徴とする請求項１または２記載の波形測定装置。
【請求項４】
波形変換部は、記録媒体の波形データを圧縮または伸張することを特徴とする請求項１〜３のいずれかに記載の波形測定装置。
【請求項５】
波形変換部は、測定部が測定条件で測定した波形データと同一のデータ数となるように、記録媒体の波形データの変換を行うことを特徴とする請求項１〜４のいずれかに記載の波形測定装置。
【請求項６】
波形変換部が変換した波形データを、記録媒体に格納する入出力部を設けたことを特徴とする請求項１〜５のいずれかに記載の波形測定装置。
【請求項７】
波形変換部は、
測定部の測定条件に、記録媒体の波形データを変換する変換手段と、
この変換手段が変換した波形データを格納する変換波形メモリと、
この変換波形メモリの波形データを波形メモリに転送する転送手段と
を有することを特徴とする請求項１〜６のいずれかに記載の波形測定装置。
【請求項８】
波形変換部は、
波形データを補間する補間データを格納する補間テーブルと、
この補間テーブルの補間データにより、記録媒体の波形データの補間、または、記録媒体の波形データの間引きを行い、測定部の測定条件に波形データを変換する変換手段と、
この変換手段が変換した波形データを格納する変換波形メモリと、
この変換波形メモリの波形データを波形メモリに転送する転送手段と
を有することを特徴とする請求項１〜７のいずれかに記載の波形測定装置。
【発明の詳細な説明】
【０００１】
【発明の属する技術分野】
本発明は、測定部により測定した波形データと、記録媒体の波形データとを表示する波形測定装置に関し、詳しくは、測定部と異なる測定条件による記録媒体の波形データの表示が行える波形測定装置に関するものである。
【０００２】
【従来の技術】
波形測定装置は、例えば、ディジタルオシロスコープで、測定部が被測定波形を測定し、波形データとして波形メモリに格納すると共に、この波形データを、表示処理部を介して表示部に表示するように構成されたものであり、各種分野の研究開発、品質管理、保守作業における波形測定表示手段として広く使用されている。
【０００３】
また、波形データをフロッピーディスクやハードディスク等の記録媒体に格納し、保存することが可能である。そして、記録媒体の波形データを読み出して表示部に表示することにより、新たに取得した波形データとの比較や解析等を容易に行うことができる。
【０００４】
例えば、研究開発では、様々な試験環境で波形測定を行い、それぞれの試験環境下で測定した波形の比較が一般的に行われる。ある試験環境で取得した波形データを記録媒体に保存し、異なる試験環境で再び波形測定をする際に、記録媒体に保存した波形データを読み出すことにより、それぞれの試験環境下における波形の比較を容易に行うことができる。
【０００５】
また、保守作業では、基準波形を前もって記録媒体に保存しておき、作業現場でこの基準波形を読み出し、作業現場の波形と比較することにより、容易に保守作業を行うことができる等、利用範囲が非常に広い。
【０００６】
図９は、従来の波形測定装置の構成例を示した図である。図９において、測定部１０は、複数の入力端子をもち、このチャネルごとに被測定波形が入力される（ただし、図中は１チャネル分のみを図示）。また、制御信号が入力され、この制御信号に従い被測定波形の信号レベルを増幅または減衰し、所望のサンプリング時間、サンプリング間隔にてデジタル信号に変換する。そして、測定部１０は、デジタル信号に変換した被測定波形を波形データとして出力する。
【０００７】
波形メモリ２０は、測定部１０からの各チャネルごとの波形データ（以下、取得波形データと略す）が格納される。
【０００８】
記録媒体（記録媒体）３０は、フロッピーディスクやハードディスク等で、波形データ、およびこの波形データを取得した際の設定データ、例えば、測定を行ったチャネル番号、測定点数、サンプリング間隔、測定レンジ等の測定条件が格納される。また、記録媒体３０は、波形測定装置が電源オフとなっても、格納した波形データ、設定データを消去せずに保持する。
【０００９】
入出力部４０は、記録媒体３０と波形メモリ２０間で、所望のチャネル数の波形データの入出力を行う。ここで、入出力部４０が波形メモリ２０へ入力する波形データを、ロード波形データとする。また、記録媒体３０の設定データの入出力を行う。
【００１０】
設定部５０はボタン等で、測定部１０が取得波形データを取得する際の測定条件からなる設定データを出力する。表示処理部６０は、制御信号に基づいて波形メモリ２０の取得波形データ、ロード波形データを所望の形式の表示データに変換して出力する。表示部７０は、表示処理部６０から出力された表示データを表示する。
【００１１】
制御部８０は、設定部５０からの設定データ（以下、取得波形設定データと略す）および、入出力部４０が記録媒体３０から読み出した設定データ（以下、ロード設定データと略す）が入力され、これらの設定データに基づき、制御信号を測定部１０と表示処理部６０に出力する。また、制御部８０は、入出力部４０を介して、取得波形設定データまたはロード設定データを記録媒体３０に格納する。
【００１２】
続いて、図９に示す装置の動作を説明する。図１０は、図９に示す制御部８０が、制御信号を出力するまでの動作を説明したフローチャートである。設定部５０が、図示しないマンマシンインターフェースを介して設定される測定条件を取得波形設定データとして、制御部８０に出力する（Ｓ１０）。
【００１３】
記録媒体３０の波形データを読み出す場合、入出力部４０が記録媒体３０に格納されている波形データおよび設定データを読み出し（Ｓ１１、Ｓ１２）、この読み出した設定データをロード設定データとして制御部８０に出力する（Ｓ１３）。そして、制御部８０が、図示しないマンマシンインターフェースを介して設定部５０からの新たな測定条件の入力を禁止し、現在のロード設定データが新たな測定条件で変更されないようにすると共に（Ｓ１４）、それぞれの設定データの差異にかかわらず、ロード設定データに基づき制御信号を出力する（Ｓ１５）。
【００１４】
記録媒体３０の波形データを読み出さない場合、制御部８０が取得波設定データに基づき制御信号を出力する（Ｓ１１、Ｓ１６）。
【００１５】
次に、図１１は、図９に示す装置が、制御部８０の制御信号に従って表示部７０に被測定波形を表示する動作を説明したフローチャートである。測定部１０が、制御信号に従い、各チャネルごとに入力される被測定波形をデジタル信号に変換し、取得波形データを取得する（Ｓ２０）。
【００１６】
そして、制御部８０の指示により、図１０に示すステップＳ１２で入出力部４０が読み出したロード波形データに対応するチャネルと、測定部１０が出力するチャネルとが同一の場合、測定部１０はこのチャネルをマスクする（Ｓ２１、Ｓ２２）。そして、入出力部４０は、ロード波形データを波形メモリ２０に格納する（Ｓ２３）。
【００１７】
制御部８０の指示により、測定部１０が出力するチャネルと、ロード波形データのチャネルが異なる場合、測定部１０が取得波形データを波形メモリ２０に格納する（Ｓ２１、Ｓ２４）。
【００１８】
測定部１０の全チャネル分の取得波形データおよびロード波形データが波形メモリ２０に格納されていない場合、再び、測定部１０のチャネルとロード波形データのチャネルが同一かどうかで、波形メモリ２０に測定部１０の取得波形データの格納、または、入出力部４０のロード波形データの格納を行う（Ｓ２５、Ｓ２１〜Ｓ２４）。
【００１９】
取得波形データおよびロード波形データが波形メモリ２０に格納された場合、表示処理部６０は、制御部８０の制御信号に従い、取得波形データ、ロード波形データを必要に応じて、データ処理（例えば、スムージング処理、波形解析等）を行った後、所望の形式の表示データに変換し（Ｓ２５、Ｓ２６）、この表示データを表示部７０に表示させる（Ｓ２７）。
【００２０】
【発明が解決しようとする課題】
例えば、研究開発の場面においては、試験環境を変えると、被測定波形に現れる現象が異なる場合があり、測定条件の変更を行い、記録媒体のロード波形データと新たな測定により得た取得波形データと比較をしたいという要求がある。
【００２１】
しかし、表示処理部６０は、一度記録媒体３０に記録したロード波形データと、新たな測定により得た取得波形データとを表示部７０に表示する場合、サンプリング間隔等の測定条件を同じにして、測定点（データ位置）を同じにしなければ、表示部７０に波形を表示することができないという問題があった。
【００２２】
そこで、本発明の目的は、測定部と異なる測定条件による記録媒体の波形データの表示が行える波形測定装置を実現することにある。
【００２３】
【課題を解決するための手段】
請求項１記載の発明は、
測定条件により、被測定波形を測定部により測定し、波形データとして波形メモリに格納すると共に、波形データを記録媒体に保存及び表示部に表示を行う波形測定装置において、
第１の測定条件で測定され前記記録媒体に保存された波形データを、前記測定部における第２の測定条件の測定点に変換する波形変換部を設け、この波形変換部が変換した波形データを前記第２の測定条件で測定され前記波形メモリに格納されている波形データと共に前記表示部に表示し、前記第１の測定条件と前記第２の測定条件とは異なり、
前記波形変換部は、前記記録媒体の波形データを前記第２の測定条件と同じサンプリング間隔にすることを特徴とするものである。
【００２４】
請求項２記載の発明は、請求項１記載の発明において、
波形メモリの前記第２の測定条件で測定された波形データと波形変換部が第２の測定条件の測定点に変換した波形データとにより演算を行い、演算結果を表示部に表示する表示処理部を設けたことを特徴とするものである。
【００２５】
請求項３記載の発明は、請求項１または２記載の発明において、
波形変換部は、記録媒体の波形データの補間または間引きを行い、所望の測定点にすることを特徴とするものである。
【００２７】
請求項４記載の発明は、請求項１〜３のいずれかに記載の発明において、
波形変換部は、記録媒体の波形データを圧縮または伸張することを特徴とするものである。
【００２８】
請求項５記載の発明は、請求項１〜４のいずれかに記載の発明において、
波形変換部は、測定部が測定条件で測定した波形データと同一のデータ数となるように、記録媒体の波形データの変換を行うことを特徴とするものである。
【００２９】
請求項６記載の発明は、請求項１〜５のいずれかに記載の発明において、
波形変換部が変換した波形データを、記録媒体に格納する入出力部を設けたことを特徴とするものである。
【００３０】
請求項７記載の発明は、請求項１〜６のいずれかに記載の発明において、
波形変換部は、測定部の測定条件に、記録媒体の波形データを変換する変換手段と、この変換手段が変換した波形データを格納する変換波形メモリと、この変換波形メモリの波形データを波形メモリに転送する転送手段とを有することを特徴とするものである。
【００３１】
請求項８記載の発明は、請求項１〜７のいずれかに記載の発明において、
波形変換部は、
波形データを補間する補間データを格納する補間テーブルと、
この補間テーブルの補間データにより、記録媒体の波形データの補間、または、記録媒体の波形データの間引きを行い、測定部の測定条件に波形データを変換する変換手段と、
この変換手段が変換した波形データを格納する変換波形メモリと、
この変換波形メモリの波形データを波形メモリに転送する転送手段と
を有することを特徴とするものである。
【００３２】
【発明の実施の形態】
以下図面を用いて本発明の実施の形態を説明する。
図１は、本発明の第１の実施例を示すブロック構成図である。図９と同一のものは同一符号を付し、説明を省略すると共に図示も省略する。図１において、制御部８０の代わりに制御部８１が設けられ、入出力部４０からのロード設定データと、設定部５０からの取得波形設定データに基づき、制御信号を出力する。
【００３３】
また、波形変換部９０が新たに設けられる。波形変換部９０は、制御部８１の制御信号に基づき、波形メモリ２０に格納されたロード波形データを読み出し、この読み出したロード波形データを変換する。そして、変換したロード波形データを波形メモリ２０へ格納する。また、波形変換部９０は、補間テーブル９１、変換手段９２、ワークエリア（変換波形メモリ）９３、転送手段９４を有する。
【００３４】
補間テーブル９１は、ロード波形データを補間するための補間データが格納される。変換手段９２は、制御部８１の制御信号に基づき、波形メモリ２０のロード波形データと補間テーブル９１の補間データを読み出し、ロード波形データを間引きまたは補間による変換を行い出力する。ワークエリア９３は、変換手段９２で変換されたロード波形データ（以下、変換波形データと略す）を格納する。転送手段９４は、ワークエリア９３の変換波形データを読み出し、波形メモリ２０にこの変換波形データをロード波形データの代わりに格納する。
【００３５】
続いて、図１に示す装置の動作を説明する。図２のフローチャートを用いて、図１に示す制御部８１が、制御信号を出力するまでの動作を説明する。設定部５０が、図示しないマンマシンインターフェースを介して設定される測定条件を取得波形設定データとして、制御部８１に出力する（Ｓ３０）。
【００３６】
記録媒体３０の波形データを読み出す場合、入出力部４０が記録媒体３０に格納されている波形データおよび設定データを読み出し（Ｓ３１、Ｓ３２）、この読み出した設定データをロード設定データとして制御部８１に出力する（Ｓ３３）。そして、制御部８１が、取得波形設定データとロード設定データを比較し、取得波形設定データに基づく制御信号を測定部１０および表示処理部６０に出力すると共に（Ｓ３４）、ロード設定データと取得波形設定データの比較結果に基づく制御信号を波形変換部９０に出力する（Ｓ３５）。
【００３７】
記録媒体３０の波形データを読み出さない場合、取得波形設定データに基づき制御信号を測定部１０、表示処理部６０、波形変換部９０に出力する（Ｓ３１、Ｓ３６）。
【００３８】
次に、図２に示すステップＳ３５における制御信号の具体例として、例えば、ロード設定データのサンプリングが、ΔＴ秒間に１０，０００ポイントとする。そして、取得波形設定データのサンプリングが、ΔＴ秒間に１，０００ポイントとする。この場合、制御部８０は、波長変換部９０に、ロード波形データの測定点数を１０，０００ポイントから１，０００ポイントに間引するように制御信号を出力する。
【００３９】
また、制御信号の他の具体例として、ロード設定データのサンプリングがΔＴ秒間に１００ポイントとする。そして、取得波形設定データのサンプリングがΔＴ秒間に１，０００ポイントとする。この場合、制御部８０は、波長変換部９０に、ロード波形データの測定点数を１００ポイントから１，０００ポイントに補間するように制御信号を出力する。
【００４０】
続いて、図３は、図１に示す波形変換部９０が、ロード波形データを変換する動作を説明したフローチャートである。図４は、変換手段９２がロード波形データを間引きによって変換する例を示している。図４において、横軸は時間で、縦軸は信号レベルを表し、ロード波形データのデータｄ１〜ｄ８のうち、３ポイントずつ間引きされた例である。もちろん、ロード波形データはデータｄ８以降もデータは続いている。
【００４１】
また、図５は、変換手段９２がロード波形データを補間によって変換する例を示している。図５において、図４と同様に横軸は時間で、縦軸は信号レベルを表している。データＤ１〜Ｄ３のうち、データＤ１〜Ｄ３間ごとに３ポイント（図中では、×で表示）をサイン補間によってデータＤ１〜Ｄ３のデータ補間を行っている。すなわち、データＤ１、Ｄ２間は、データＤ１１〜Ｄ１３によってデータ補間され、データＤ２、Ｄ３間は、データＤ２１〜Ｄ２３によってデータ補間されている。もちろん、ロード波形データはデータＤ３以降もデータは続いている。また、補間の方法には、他にリニア補間、ステップ補間等がある。
【００４２】
さて、図３に示すフローチャートに戻り、波形変換部９０が、制御部８１からの制御信号に従ってロード波形データを変換する動作を説明する。
【００４３】
波形変換部９０が、制御部８１の指示によりロード波形データの変換を行わない場合（つまり、ロード設定データと取得波形設定データが同一の場合）、波形変換部９０は、波形メモリ２０からロード波形データの読み出しを行わない（Ｓ４０）。
【００４４】
波形変換部９０が、制御部８１の指示によりロード波形データを間引きによって変換を行う場合（Ｓ４０、Ｓ４１）、変換手段９２が波形メモリ２０からロード波形データを読み出す（Ｓ４２）。そして、変換手段９２が、ロード波形データを所望のポイント数間引き、ロード波形データの変換を行う。例えば、図４に示すように、データｄ１〜ｄ４のうち、データｄ２〜ｄ４を間引き、データｄ５〜ｄ８のうち、データｄ６〜ｄ８を間引く。なお、データｄ１〜ｄ４の平均値をとり、その平均値をデータｄ１〜ｄ４の間引いた値としてもよい。また、データｄ１〜ｄ４の最大値、最小値を求め、その最大値、最小値のそれぞれをデータｄ１〜ｄ４の間引いた値としてもよい（Ｓ４３）。
【００４５】
波形変換部９０が、制御部８１の指示によりロード波形データを補間によって変換を行う場合（Ｓ４０、Ｓ４１）、変換手段９２が波形メモリ２０からロード波形データを読み出すと共に、補間テーブル９１から補間データを読み出す。この際、補間するポイント数（図５においては３ポイント）、および補間方法（図５においてはサイン補間）に対応する補間データを補間テーブル９１から読み出す（Ｓ４４）。そして、変換手段９２が、ロード波形データを補間データにより所望ポイント数補間し、ロード波形データの変換を行う（Ｓ４５）。例えば、図５に示すように、データＤ１、Ｄ２間でデータＤ１１〜Ｄ１３をデータ補間し、データＤ２、Ｄ３間で、データＤ２１〜Ｄ２３をデータ補間するので、より詳細な波形になる。
【００４６】
そして、変換手段９２が、変換したロード波形データ（データＤ１〜Ｄ３、Ｄ１１〜Ｄ１３、Ｄ２１〜Ｄ２３、ｄ１、ｄ５）を変換波形データとして、ワークエリア９３に格納する（Ｓ４６）。転送手段９４が、ワークエリア９３の変換波形データを、波形メモリ２０に格納する（Ｓ４７）。
【００４７】
ここで、波形メモリ２０に複数チャネルのロード波形データが格納されている場合は、それぞれのロード波形データごとに、図３に示すように、再び波形変換部９０が波形メモリ２０のロード波形データを間引きまたは補間によって変換し、変換波形データを、波形メモリ２０に格納する。
【００４８】
そして、制御部８１が、取得波形設定データとロード設定データの比較結果に基づき制御信号を出力し、この制御信号によって波形変換部９０が波形メモリ２０のロード波形データの変換を行い、変換波形データを波形メモリ２０に格納する動作以外は、図９に示す装置と同様なので説明を省略する。
【００４９】
図６は、波形変換部９０がロード波形データの変換した結果を、表示処理部６０が表示部７０で表示した例である。横軸は時間であり、縦軸は信号レベルである。図６に示す（ａ）は所望の設定データに基づく変換波形データを表示し、（ｂ）は変換波形データと取得波形データとを表示し、（ｃ）は変換波形データと取得波形データ、および変換波形データと取得波形データの波形演算を行った波形解析の結果とを表示している。
【００５０】
このように、制御部８１が取得波形設定データとロード設定データの比較結果に基づき制御信号を出力し、波形変換部９０がこの制御信号によって、波形メモリ２０のロード波形データを間引き、または補間によって図６に示す（ａ）のように、所望の測定点に変換する。これにより、測定部１０と異なる測定条件による記録媒体３０のロード波形データの表示が行える。
【００５１】
また、制御部８１が取得波形設定データとロード設定データの比較結果に基づき制御信号を出力し、波形変換部９０がこの制御信号によって、波形メモリ２０のロード波形データを間引き、または補間によって所望の測定点に変換すると共に、測定部１０が取得波形設定データに従って測定を行う。これにより、ロード波形データが取得波形データと同等の測定条件に変換される。従って、図６に示す（ｂ）のようにロード波形データと取得波形データの比較を容易に行うことができ、また図６に示す（ｃ）のように、ロード波形データと取得波形データを演算し、解析を容易に行うことができる。
【００５２】
図７は、本発明の第２の実施例を示すブロック構成図である。図１と同一のものは同一符号を付し、説明を省略すると共に図示も省略する。図７において、補間テーブル９１、変換手段９２の代わりに変換手段９５が設けられる。変換手段９５は、制御部８１の制御信号に基づき、波形メモリ２０のロード波形データを読み出し、このロード波形データを時間軸上に圧縮または伸張による変換を行い、変換したロード波形データを変換波形データとして、ワークエリア９３に格納する。
【００５３】
このような変換を必要とするのは、例えば、波形を周波数変換した場合、変更前後の一周期分の波形を比較し、解析を行いたい場合である。図８は波形を周波数変更した場合の測定例で、横軸は時間、縦軸は信号レベルである。ここで、（ａ）は周波数変更前の波形（周期ＴＬ）の測定例、（ｂ）は周波数変更後の波形（周期ＴＬ／１０）の測定例、（ｃ）は周波数変更後の波形（周期１０・ＴＬ）の測定例である。そして、ロード波形データ１００、取得波形データ１０１、１０２は、一周期をｎ（ｎ：自然数）ポイントで測定されている。すなわち、図から明らかなように、ロード波形データ１００と取得波形データ１０１の比較と、ロード波形データ１００と取得波形データ１０２の比較とは、容易に行うことができない。
【００５４】
そこで、制御部８１がロード設定データと取得波形設定データの比較結果に基づく制御信号を、波形変換部９０に出力する。
【００５５】
そして、変換手段９５が、制御部８１からの制御信号に基づき、波形メモリ２０からロード波形データを読み出し、このロード波形データを時間軸上で圧縮または伸張による変換を行い、変換したロード波形データを変換波形データとしてワークエリア９３に格納する。
【００５６】
例えば、図８において、ロード波形データ１００は、１周期ＴＬをｎポイントで測定されているので、サンプリング間隔ΔｔＬが、（ΔｔＬ＝ＴＬ／ｎ）となる。同様にして、取得波形１０１、１０２のサンプリング間隔Δｔ１０１、Δｔ１０２は、それぞれ（Δｔ１０１＝ＴＬ／１０／ｎ）、（Δｔ１０２＝１０・ＴＬ／ｎ）となる。変換手段９２は、ロード波形データ１００のサンプリング間隔ΔｔＬをそれぞれΔｔ１０１、Δｔ１０２となるように、ロード波形データ１００を時間軸上で圧縮、または伸張し、変換する。
【００５７】
制御部８１からの制御信号に基づき、変換手段９５が波形メモリ２０のロード波形データを変換し、ワークエリア９３に格納する動作以外は、図１に示す装置と同じなので説明を省略する。
【００５８】
このように、制御部８１が取得波形設定データとロード設定データの比較結果に基づき制御信号を出力し、波形変換部９０がこの制御信号によって、波形メモリ２０のロード波形データ１００を時間軸上に圧縮、または伸張によって変換する。これにより、測定部１０と異なる測定条件による記録媒体３０のロード波形データ１００の表示が行える。
【００５９】
また、制御部８１が取得波形設定データとロード設定データの比較結果に基づき制御信号を出力し、波形変換部９０がこの制御信号によって、波形メモリ２０のロード波形データ１００を時間軸上に圧縮、または伸張によって所望の測定点に変換すると共に、測定部１０が取得波形設定データに従って測定を行う。これにより、ロード波形データが取得波形データと同等の測定条件に変換される。従って、ロード波形データ１００および取得波形データ１０１、１０２の比較、解析を容易に行うことができる。
【００６０】
なお、本発明はこれに限定されるものではなく、以下のようなものでもよい。
図１、図７に示す装置において、波形変換部９０によって変換された変換波形データが、波形メモリ２０に格納され、表示処理部６０を介して表示部７０に表示される構成を示したが、波形メモリ２０の変換波形データおよび制御部８１の取得波形設定データを、入出力部４０を介して記録媒体３０に格納する構成としてもよい。これにより、読み出したロード波形データに対して異なる測定条件の変換波形データを保存することができる。
【００６１】
また、図１に示す装置において、波形変換部９０によって変換された変換波形データが、波形メモリ２０に格納され、表示処理部６０を介して表示部７０に表示される構成を示したが、波形メモリ２０に格納される変換波形データおよび制御部８１の取得波形設定データを、同一データ数で入出力部４０を介して記録媒体３０に格納する構成としてもよい。これにより、記録媒体３０に格納できる波形データの数（つまり、記録媒体３０で使用されるメモリ長）を容易に算出することができると共に、フロッピーディスクのように容量の少ない記録媒体３０に効率良く波形データを格納することができる。
【００６２】
また、図１、図７に示す装置において、記録媒体３０のロード波形データを、波形メモリ２０に格納してから、波形変換部９０が読み出す構成を示したが、入出力部４０がそのまま波形変換部９０にロード波形データを出力する構成としてもよい。
【００６３】
また、図１、図７に示す装置において、変換手段９２、９５がロード波形データを変換し、この変換波形データをワークエリア９３に格納してから、転送手段９４が波形メモリ２０に転送する構成を示したが、変換手段９２、９５が変換波形データを波形メモリ２０に格納する構成としてもよい。
【００６４】
また、図１、図７に示す装置において、波形変換部９０が、変換波形データを波形メモリ２０に格納する構成としたが、波形変換部９０が、変換波形データを表示処理部６０に出力する構成としてもよい。
【００６５】
また、図１に示す装置において、変換手段９２がロード波形データを補間および間引くポイント数は何ポイントでもよい。
【００６６】
また、図１に示す装置において、補間テーブル９１の補間データを用いて変換手段９２が補間データを求める構成を示したが、補間テーブル９１を設けずに変換手段９２が演算して補間データを求めてもよい。
【００６７】
さらに、図７に示す装置において、変換手段９５がロード波形データ１００を時間軸の圧縮、または伸張する構成を示したが、変換手段９５が時間軸の圧縮、または伸張を行うと共に、図１に示す装置のようにロード波形データの間引き、または補間を行い、所望の測定点とする構成としてもよい。
【００６８】
【発明の効果】
本発明によれば、以下のような効果がある。
請求項１〜８によれば、波形変換部が、記録媒体の波形データを、測定部の測定条件に合わせた測定点の波形データに変換し、表示部に表示するので、被測定波形を測定部で測定した波形データと記録媒体の波形データとを同時に表示部に表示することができる。すなわち、測定部と異なる測定条件による記録媒体の波形データの表示ができる。
【００６９】
請求項２によれば、波形変換部により、記録媒体の波形データを、測定部の測定条件に合わせた測定点にするので、表示処理部にいて、測定部で測定した波形データと、記録媒体の波形データとを容易に演算することができ、比較、解析を行うことができる。
【図面の簡単な説明】
【図１】本発明の第１の実施例を示す構成図である。
【図２】図１に示す装置の制御部８１が制御信号を出力するまでの動作を示したフローチャートである。
【図３】図１に示す装置の波形変換部９０がロード波形データの変換を行い、表示処理部６０が表示データを生成する動作を示したフローチャートである。
【図４】図１に示す装置の変換手段９２が、ロード波形データを変換（間引き）した例を示した図である。
【図５】図１に示す装置の変換手段９２が、ロード波形データを変換（補間）した例を示した図である。
【図６】図１に示す装置の表示部７０での表示例である。
【図７】本発明の第２の実施例を示す構成図である。
【図８】周期の異なる波形データの表示部７０での表示例である。
【図９】従来の波形測定装置の構成例を示した図である。
【図１０】図９に示す装置が制御信号を出力するまでの動作を示したフローチャートである。
【図１１】図９に示す装置が制御信号に基づき表示を行う動作を示したフローチャートである。
【符号の説明】
２０  メモリ
３０  記録媒体
５０  設定部
６０  表示処理部
８１  制御部
９０  波形変換部
９１  補間テーブル
９２、９５  変換手段
９３  ワークエリア
９４  転送手段
【図１】
0003952495.tif 000002
【図２】
0003952495.tif 000003
【図３】
0003952495.tif 000004
【図４】
0003952495.tif 000005
【図５】
0003952495.tif 000006
【図６】
0003952495.tif 000007
【図７】
0003952495.tif 000008
【図８】
0003952495.tif 000009
【図９】
0003952495.tif 000010
【図１０】
0003952495.tif 000011
【図１１】
0003952495.tif 000012